(57)【要約】【課題】使用するフィルタに応じて、できるだけコンパクト化することが可能な空気調和装置用フィルタボックスを提供する。【解決手段】フィルタボックスは、空気調和装置に取り入れる空気を通過させる板状のフィルタを収容する空気調和装置用フィルタボックスであって、固定枠と、可動枠と、蓋と、を有している。固定枠は、厚さ方向に貫通する開口部を有し、空気調和装置の吸込口に固定される枠体である。可動枠は、厚さ方向に貫通する開口部と、厚さ方向に垂直な方向からフィルタを挿入するための挿入口を有し、固定枠に被さって厚さ方向に移動可能な枠体であり、固定枠との間にフィルタを収容し、厚さ方向に移動してフィルタを固定枠に押し付ける。蓋は、閉じれば挿入口を塞ぎ、開けば挿入口を開いて、挿入口から固定枠と可動枠の間にフィルタを挿入可能にする。【選択図】図２
2013155909.tif 000002
【特許請求の範囲】
【請求項１】
空気調和装置に取り入れる空気を通過させる板状のフィルタを収容する空気調和装置用フィルタボックスであって、
厚さ方向に貫通する開口部を有し、前記空気調和装置の吸込口に固定される枠体である固定枠と、
前記厚さ方向に貫通する開口部と、前記厚さ方向に垂直な方向からフィルタを挿入するための挿入口を有し、前記固定枠に被さって前記厚さ方向に移動可能な枠体であり、前記固定枠との間にフィルタを収容し、前記厚さ方向に移動して前記フィルタを前記固定枠に押し付ける可動枠と、
閉じれば前記挿入口を塞ぎ、開けば前記挿入口を開いて、前記挿入口から前記固定枠と前記可動枠の間に前記フィルタを挿入可能にする蓋と、
を有する空気調和装置用フィルタボックス。
【請求項２】
前記可動枠と前記蓋の側面に互いに対応する位置に長穴があり、
固定用ねじを前記可動枠の長穴と前記蓋の長穴を通して前記固定枠にねじ込こむことにより、前記可動枠および前記蓋を前記固定枠に対して固定する、請求項１に記載の空気調和装置用フィルタボックス。
【請求項３】
前記固定枠の内面に、前記フィルタの前記厚さ方向の前記空気調和装置側への押し込みの限界位置を規定するＬ字部材が取り付けられており、
前記固定枠の側面の前記限界位置よりも前記空気調和装置側に前記固定用ねじがねじ込まれるねじ穴がある、請求項２に記載の空気調和装置用フィルタボックス。
【請求項４】
前記蓋は、前記固定枠および前記可動枠の上方および側方の少なくとも一部に被さるように配置され、前記蓋の上面の前記可動枠と前記固定枠の間を塞ぐ上板部の奥行きが前記蓋の側面の前記長穴を有する側板部の奥行きより浅く、前記固定用ねじを軸として、上面における前記上板部のない部分に前記固定枠が入り込むように上方に回転することによって開く、請求項２または３に記載の空気調和装置用フィルタボックス。
【請求項５】
前記固定枠と前記可動枠と前記蓋のうち、いずれか１つ、いずれか２つ、または全ての前記フィルタと接触する部分にパッキン材が配置されている、請求項１から４のいずれか一項に記載の空気調和装置用フィルタボックス。
【請求項６】
前記固定用ねじは、手で摘まんで回転させることが可能な摘み付きねじである、請求項１から５のいずれか一項に記載の空気調和装置用フィルタボックス。
【発明の詳細な説明】
【技術分野】
【０００１】
本発明は、吸込口から取り入れた空気を熱交換後に吹出口から送出する空気調和装置の吸込口に設けられるフィルタを収容するフィルタボックスに関する。
【背景技術】
【０００２】
空気調和装置の例えば室内機は空気を吸込口から取り入れ、熱交換器を通して吹出口から送出する。空気調和装置に取り入れる空気に含まれている埃やごみを取り除くためにフィルタを用いる場合がある。その場合、吸込口にフィルタを収容するフィルタボックスが配置される。フィルタボックスには、フィルタを通過した空気だけが吸込口から取り入れられるようにフィルタを固定するという機能がある。
【０００３】
空気調和装置に用いられるフィルタは、空気調和装置が設置される室内の空気の状態などに応じて適宜選択される。具体的には、プレフィルタ、中性能フィルタ、高性能フィルタ等を単体で使用したり、あるいは複数を適宜組み合わせて使用したりする。
【０００４】
特許文献１には、様々なフィルタに対応し、扉を閉めるだけで各種フィルタを締め付けて固定することができ、またフィルタの交換も容易なフィルタ装置を提供する構造が開示されている。
【先行技術文献】
【特許文献】
【０００５】
【特許文献１】特開２０１１−２００９５号公報
【発明の概要】
【発明が解決しようとする課題】
【０００６】
既設の建物の室内に室内機を設置する場合には設置スペースが限られることが多いので、室内機をコンパクトに構成することが求められる。
【０００７】
しかし、特許文献１に記載されたフィルタ装置は、フィルタを押し付けて固定する押付部材をフィルタ装置内部で移動させることにより、様々なフィルタに対応するものである。そのため、どのようなフィルタを使用しても、また使用するフィルタの個数が変わっても、フィルタ装置の外形寸法は変わらない。そして、その寸法は、想定される最大個数のフィルタあるいか最も厚さがあるフィルタを搭載できる寸法なので、フィルタ装置はサイズの大きなものとなっていた。
【０００８】
本発明の目的は、使用するフィルタに応じて、できるだけコンパクト化することが可能な空気調和装置用フィルタボックスを提供することである。
【課題を解決するための手段】
【０００９】
本発明の一態様による空気調和装置用フィルタボックスは、空気調和装置に取り入れる空気を通過させる板状のフィルタを収容する空気調和装置用フィルタボックスであって、厚さ方向に貫通する開口部を有し、前記空気調和装置の吸込口に固定される枠体である固定枠と、前記厚さ方向に貫通する開口部と、前記厚さ方向に垂直な方向からフィルタを挿入するための挿入口を有し、前記固定枠に被さって前記厚さ方向に移動可能な枠体であり、前記固定枠との間にフィルタを収容し、前記厚さ方向に移動して前記フィルタを前記固定枠に押し付ける可動枠と、閉じれば前記挿入口を塞ぎ、開けば前記挿入口を開いて、前記挿入口から前記固定枠と前記可動枠の間に前記フィルタを挿入可能にする蓋と、を有している。
【００１０】
また、本発明の他の態様として、前記可動枠と前記蓋の側面に互いに対応する位置に長穴があり、固定用ねじを前記可動枠の長穴と前記蓋の長穴を通して前記固定枠にねじ込こむことにより、前記可動枠および前記蓋を前記固定枠に対して固定することにしてもよい。
【００１１】
また、本発明の他の態様として、前記固定枠の内面に、前記フィルタの前記厚さ方向の前記空気調和装置側への押し込みの限界位置を規定するＬ字部材が取り付けられており、前記固定枠の側面の前記限界位置よりも前記空気調和装置側に前記固定用ねじがねじ込まれるねじ穴があるとしてもよい。
【００１２】
また、本発明の他の態様として、前記蓋は、前記固定枠および前記可動枠の上方および側方の少なくとも一部に被さるように配置され、前記蓋の上面の前記可動枠と前記固定枠の間を塞ぐ上板部の奥行きが前記蓋の側面の前記長穴を有する側板部の奥行きより浅く、前記固定用ねじを軸として、上面における前記上板部のない部分に前記固定枠が入り込むように上方に回転することによって開くことにしてもよい。
【００１３】
また、本発明の他の態様として、前記固定枠と前記可動枠と前記蓋のうち、いずれか１つ、いずれか２つ、または全ての前記フィルタと接触する部分にパッキン材が配置されていることにしてもよい。
【００１４】
また、本発明の他の態様として、前記固定用ねじは、手で摘まんで回転させることが可能な摘み付きねじであってもよい。
【発明の効果】
【００１５】
本発明によれば、使用するフィルタに応じて、できるだけコンパクト化することが可能な空気調和装置用フィルタボックスを提供することができる。
【図面の簡単な説明】
【００１６】
【図１】本実施形態によるフィルタボックスが空気調和機の室内機に配設された様子を示す図である。
【図２】フィルタを内蔵したフィルタボックスの斜視図である。
【図３】可動枠の斜視図である。
【図４】固定枠の斜視図である。
【図５】蓋の斜視図である。
【図６】フィルタボックス２にフィルタを挿入する様子を示す斜視図である。
【図７】固定枠４にパッキン材を設けた様子を示す斜視図である。
【図８】蓋５にパッキン材を設けた様子を示す斜視図である。
【発明を実施するための形態】
【００１７】
本発明の各種実施例によるフィルタボックスについて図面を参照して詳細に説明する。
【００１８】
図１は、本実施形態によるフィルタボックスが空気調和機の室内機に配設された様子を示す図である。図1に示すように、フィルタボックス２は空気調和機の室内機１の構成部品である。ここでは室内機１は、空調の対象となる空間（以下、空調空間という）に設置され、空調空間の空気を、フィルタボックス２に装着されたフィルタを介して吸込口１ａから吸い込み、熱交換器１ｂによって空調し、吹出口１ｄから再び空調空間に吹き出すタイプである。空気は、フィルタボックス２、吸込口１ａ、熱交換器１ｂ、送風機１ｃ、吹出口１ｄという順に流れる。
【００１９】
本実施形態のフィルタボックス２について説明する。
【００２０】
図２は、フィルタを内蔵したフィルタボックスの斜視図である。
【００２１】
フィルタボックス２は、可動枠３、固定枠４、および蓋５を有している。ここではフィルタボックス２には２つのフィルタ６，７が内蔵されている例が示されている。しかしｓ、フィルタボックス２に内蔵するフィルタの個数およびフィルタの厚さは任意に選択することができる。フィルタ６、７は空気を濾過する濾材６ａ、７ａを内蔵した板状の構造である。
【００２２】
可動枠３および固定枠４には厚さ方向（空気の流れ方向）に貫通する開口部３ａ、４ａがある。この開口部３ａ、４ａを通して厚さ方向に流れる空気がフィルタ６、７の濾材６ａ、７ａを通過して濾過される。つまり、フィルタボックス２に吸い込まれた空気は、可動枠３の開口部３ａ、フィルタ６の濾材６ａ、フィルタ７の濾材７ａ、固定枠４の開口部４ａの順に通過し、室内機１の吸込口１ａに流入する。
【００２３】
図３は可動枠の斜視図である。
【００２４】
可動枠３の左右側面３ｂ、３ｃに長穴８ａ、８ｂ、８ｃ、８ｄが設けられ、下面にフィルタ６、７を保持するための保持部材３ｄが設けられ、その反対側の上面にはフィルタ６、７を挿入するための挿入口３ｅが設けられている。
【００２５】
長穴８ａ、８ｂ、８ｃ、８ｄは高さ方向の位置が固定枠４の固定部材９ａ、９ｂ、９ｃ、９ｄと一致している。また、長穴８ａ、８ｂ、８ｃ、８ｄは厚さ方向に所定の長さを有している。長穴８ａ、８ｂ、８ｃ、８ｄの長さは、装着が想定されるフィルタの個数および厚さを考慮して定まる可動枠３の厚さ方向の可動範囲に応じて決めればよい。
【００２６】
図４は固定枠の斜視図である。
【００２７】
固定枠４は、室内機の吸込口１ａに固定的に取り付けられる枠体である。固定枠４の左右側面４ｂ、４ｃの内側に、固定部材９ａ、９ｂ、９ｃ、９ｄ（例えばナット）と、保持部材１０ａ、１０ｂとが設けられている。固定部材９ａ、９ｂ、９ｃ、９ｄは、それらと対をなすボルト等の固定部材によって可動枠３および蓋５を固定するために用いられる。保持部材１０ａ、１０ｂは、フィルタ６，７を挿入する際に案内となり、また挿入され後はフィルタ６，７の厚さ方向の室内機側への移動の限界を規定する。可動枠３と保持部材１０ａ、１０ｂとでフィルタ６、７を挟んで保持する。
【００２８】
また、固定枠４の下面にはフィルタ６、７を下から支える保持部材４ｄが設けられている。更に、固定枠４の上面には、挿入されたフィルタ６、７の上面に近接し、空気がフィルタ６、７を通らずに２次側へ漏洩するのを防止するためのフレーム４ｅが設けられてる。
【００２９】
更に、固定枠４の上方には、前面側４ｆと保持部材１０ａ、１０ｂの間にフィルタ６、７を挿入するために挿入口４ｇがある。固定枠４の上方にあるフレーム４ｅの厚さ方向の寸法は、固定枠の左右側面４ｂ、４ｃの部材および下方の保持部材４ｄの厚さ方向の寸法よりも短くなっており、固定枠４の上方のフレーム４ｅが無い部分が挿入口４ｇとなる。
【００３０】
可動枠３の幅寸法３Ｗ、高さ寸法３Ｈは、固定枠４の幅寸法４Ｗ、高さ寸法４Ｈに対して若干大きい。そのため、固定枠４に可動枠３を被せるように重ね合わせ、可動枠３をフィルタ６，７の厚さ方向に平行に移動させることができる。
【００３１】
図５は蓋の斜視図である。
【００３２】
蓋５は、左右側面５ａ、５ｂに長穴１１ａ、１１ｂが設けられている。
【００３３】
長穴１１ａ、１１ｂは高さ方向の位置が固定枠４の上側の固定部材９ａ、９ｃと一致している。また、長穴１１ａ、１１ｂの長さは、可動枠３の長穴８ａ、８ｃと同じが若干長い程度である。
【００３４】
蓋５の幅寸法５Ｗは可動枠３の幅寸法３Ｗに対して若干大きい。蓋５可動枠３に被せるように重ね合わせ、蓋５をフィルタ６，７、の厚さ方向に平行に移動させることができる。
【００３５】
固定枠４に可動枠３を上から重ね合わせ、可動枠３上部に蓋５を上から重ね合わせ、ネジ１２を蓋５の長穴１１ａ、１１ｂと可動枠３の長穴８ａ、８ｂ、８ｃ、８ｄとを通し、固定枠４の固定部材９ａ、９ｂ、９ｃ、９ｄにそれぞれ締め付けることで、固定枠４、可動枠３、および蓋５を固定することができる。その際、フィルタ６、７が保持部材１０ａ、１０ｂに当接するように、蓋５および可動枠３を厚さ方向の室内機側に押しつけた状態で、ネジ１２を締め付けるとよい。
【００３６】
蓋５を閉じれば挿入口３ｅを塞ぎ、開けば挿入口３ｅを開いて、挿入口３ｅから固定枠４と可動枠３の間にフィルタ６、７を挿入可能になる。
【００３７】
図６は、フィルタボックス２にフィルタを挿入する様子を示す斜視図である。
【００３８】
フィルタ６、７を挿入する際には、ネジ１２を緩めて可動枠３と蓋５をフィルタ６，７の厚さ方向に平行に移動できる状態にし、厚さ方向の空調空間側（空気の流れと反対方向）に移動させ、蓋５の前面５ｃ側を上に持ち上げるように回転させる。これにより、固定枠４の上面のフレーム４ｅと可動枠３との間の開口部２ａが開く。この開口部２ａから、固定枠４の保持部材１０ａ、１０ｂに沿ってフィルタ６を可動枠３の下面の保持部材３ｄおよび固定枠４の下面の保持部材４ｄに当たるまで挿入し、蓋５を前面５ｃ側を下げるように回転させ、開口部２ａを塞ぐ。さらに、可動枠３と蓋５を空気の流れ方向に移動させてフィルタ７を固定枠４の保持部材１０ａ、１０ｄに押し付け、ネジ１２を締め付けることにより、フィルタ６、７を固定する。
【００３９】
以上、本実施形態によれば、フィルタを固定する際、可動枠３をフィルタの奥行き寸法に合った位置に配置できるるため、フィルタボックス２の外形寸法は設置に必要な最小限の寸法に縮小される。よって、本実施形態によれば、使用するフィルタに応じて、フィルタボックス２をできるだけコンパクト化することが可能である。
【００４０】
また、本実施形態では、可動枠３と蓋５の側面に互いに対応する位置に長穴があり、ネジ１２を可動枠３の長穴８ａ、８ｃと蓋５の長穴１１ａ、１１ｂを通して固定枠４にねじ込こむことにより可動枠３および蓋５を固定枠４に対して固定することができる。すなわち、可動枠３と蓋５をまとめて固定でき、固定構造の単純化と、固定作業の軽減が図れる。
【００４１】
また、本実施形態では、固定枠４の内面に、フィルタの厚さ方向の室内機１側への押し込みの限界位置を規定するＬ字部材である保持部材１０ａ、１０ｂが取り付けられている。また、固定枠４の側面の限界位置よりも室内機１側にネジ１２がねじ込まれるねじ穴が設けられている。そのため、ネジ１２がフィルタと干渉するのを防止することができる。
【００４２】
また、本実施形態では、蓋５は、固定枠４および可動枠３の上方および側方の少なくとも一部に被さるように配置され、蓋５の上面の可動枠３と固定枠４の間を塞ぐ上板部の奥行きが蓋の５側面の長穴１１ａ、１１ｂを有する側板部（左右側面５ａ、５ｂ）の奥行きより浅く、ネジ１２を軸として、上面における上板部のない部分に固定枠４が入り込むように上方に回転することによって開くことができる。これにより、ネジ１２を外さずに蓋５を開いてフィルタを出し入れできる。
【００４３】
また、本実施形態のフィルタボックス２において、固定枠４、可動枠３、蓋５のフィルタと接触する部分にパッキン材を設け、固定枠４、可動枠３、蓋５とフィルタの間に隙間ができないようにすることで、フィルタの固定をより確実にするとともに、フィルタ６、７の空気を濾過する効果を向上させることができる。
【００４４】
図７は、固定枠４にパッキン材を設けた様子を示す斜視図である。図８は、蓋５にパッキン材を設けた様子を示す斜視図である。図７、８では、パッキン材を設ける部分をハッチングで示している。
具体的には、図７、８に示したように、固定枠４の下面に設けられた保持部材４ｄと、固定枠４の左右側面４ｂ、４ｃに設けられた保持部材１０ａ、１０ｂと、蓋５上面のフィルタとの接触面にパッキン材を貼り付けるとよい。
【００４５】
また、本実施形態では、ネジ１２として、手で摘んで回転させることが可能な摘み付きネジを用いてもよい。こうすることで、フィルタの装着や交換の際に工具を使用せずに作業を行うことができて便利である。
【００４６】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００４７】
１…室内機、１０ａ…保持部材、１１ａ、１１ｂ…長穴、１２…ネジ、１ａ…吸込口、１ｂ…熱交換器、１ｃ…送風機、１ｄ…吹出口、２…フィルタボックス、２ａ…開口部、３…可動枠、３ａ…開口部、３ｂ、３ｃ…左右側面、３ｄ…保持部材、３ｅ…挿入口、４…固定枠、４ａ…開口部、４ｂ、４ｃ…左右側面、４ｄ…保持部材、４ｅ…フレーム、４ｆ…前面側、４ｇ…挿入口、５…蓋、５ａ、５ｂ…左右側面、５ｃ…前面、６…フィルタ、６ａ…濾材、７…フィルタ、７ａ…濾材、８ａ…長穴、９ａ…固定部材、９ａ…保持部材
【図１】
2013155909.tif 000003
【図２】
2013155909.tif 000004
【図３】
2013155909.tif 000005
【図４】
2013155909.tif 000006
【図５】
2013155909.tif 000007
【図６】
2013155909.tif 000008
【図７】
2013155909.tif 000009
【図８】
2013155909.tif 000010